(57)【要約】【課題】  ジョブ情報を文字列で付加して画像を形成し出力する際に、付加する文字列を画像の天地の方向に対応させて見やすく表示することが可能な画像出力システム及び画像出力方法を提供すること。【解決手段】  画像データに基づく画像の天地の状態と文字列の状態とを対応付けて記憶する記憶手段（１６）と、画像データの天地の状態を示す情報を入力するための入力手段（１３）と、入力された天地の状態を示す情報に基づいて、記憶手段に記憶されている対応する文字列の状態を選択し、選択された文字列の状態に基づいて文字列情報を作成する文字列情報作成手段（１９）とを備え、画像データに文字列情報を付加して、画像データに基づく画像に文字列情報に基づく文字列を付加した画像を出力する。【選択図】      図２
2006211203.tif 000002
【特許請求の範囲】
【請求項１】
少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力システムであって、
前記画像データに基づく画像の天地の状態と前記文字列の状態とを対応付けて記憶する記憶手段と、
前記画像データの天地の状態を示す情報を入力するための入力手段と、
前記入力された天地の状態を示す情報に基づいて、前記記憶手段に記憶されている対応する文字列の状態を選択する選択手段と、
前記選択された文字列の天地の状態に基づいて前記文字列情報を作成する文字列情報作成手段と、
を備えることを特徴とする画像出力システム。
【請求項２】
少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力システムであって、
前記画像データに基づく画像の天地の状態と前記文字列を構成する文字の天地の方向と、前記画像データに基づく画像に対する文字列を付加する位置と前記画像データに対する前記文字列情報を付加する位置とを対応付けて記憶する記憶手段と、
前記画像データの天地の状態を示す情報と前記受け付けた画像データに基づく画像に対する前記文字列を付加する所望の位置を示す位置情報とを入力するための入力手段と、
前記入力された天地の状態を示す情報と位置情報とに基づいて、前記記憶手段に記憶されている対応する前記文字列を構成する文字の天地の方向と前記文字列情報を付加する位置とを選択する選択手段と、
前記選択された前記文字列を構成する文字の天地の方向と前記文字列情報を付加する位置とに基づいて前記文字列情報を作成する文字列情報作成手段と、
を備えることを特徴とする画像出力システム。
【請求項３】
少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力方法であって、
前記画像データに基づく画像の天地の状態と前記文字列の状態とを対応付けて記憶する段階と、
前記画像データの天地の状態を示す情報を入力する段階と、
前記入力された天地の状態を示す情報に基づいて、前記記憶手段に記憶されている対応する文字列の状態を選択する段階と、
前記選択された文字列の天地の状態に基づいて前記文字列情報を作成する段階と、
を含むことを特徴とする画像出力方法。
【請求項４】
少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力方法であって、
前記画像データに基づく画像の天地の状態と前記文字列を構成する文字の天地の方向と、前記画像データに基づく画像に対する文字列を付加する位置と前記画像データに対する前記文字列情報を付加する位置とを対応付けて記憶する段階と、
前記画像データの天地の状態を示す情報と前記受け付けた画像データに基づく画像に対する前記文字列を付加する所望の位置を示す位置情報とを入力する段階と、
前記入力された天地の状態を示す情報と位置情報とに基づいて、前記記憶手段に記憶されている対応する前記文字列を構成する文字の天地の方向と前記文字列情報を付加する位置とを選択する段階と、
前記選択された前記文字列を構成する文字の天地の方向と前記文字列情報を付加する位置とに基づいて前記文字列情報を作成する段階と、
を含むことを特徴とする画像出力方法。
【発明の詳細な説明】
【技術分野】
【０００１】
本発明は、画像データに基づいて画像を出力する画像出力装置を含む画像出力装置に関し、特に、画像データに基づく画像に文字列を付加した画像を出力する画像出力システム及び画像出力方法に関するものである。
【背景技術】
【０００２】
近年、ネットワークに接続されたプリンタサーバにプリンタを接続し、ネットワークに接続された複数のクライアント端末からのジョブをプリンタサーバを介して受け付けてプリントするプリントシステムが利用されている。
【０００３】
このようなプリントシステムでは、複数のジョブが同一のプリンタで出力されるので、各作業者が各々のジョブの出力物を識別することが容易ではなかった。
【０００４】
そこで、各ジョブに関する情報、例えば、端末名、ジョブ投入日時、ドキュメント名等をプリントを出力する際に文字列で付加することで出力物の識別を容易にするものがある（例えば、特許文献１参照。）。
【０００５】
また、印刷工程では、絵柄、色調、文章文字等の確認を行う校正用のカラープルーフを印刷される画像を再現するように作成するカラープルーフ作成装置が使用されているが、このカラープルーフ作成装置も上述のようにネットワークを介し複数のクライアント端末からのジョブを出力するようになっている。このようなカラープルーフ作成装置においても、上述のプリンタと同様に画像とともにジョブに関する情報を文字列で付加して出力し、出力物を識別するようになされているものがある。特に、このようなカラープルーフ作成装置では、出力物を識別するための情報の他に、さらに画像の出力条件を確認できるようにその出力条件も付加して出力することが求められる。また、これらの付加される文字列は、通常、所定の天地の方向の画像に対し所定の位置に付加され見やすいようになっている。
【０００６】
【特許文献１】特開２００２−３５８１７８号公報（段落〔００１４〕−〔００７０〕、図１〜図６）
【発明の開示】
【発明が解決しようとする課題】
【０００７】
ところが、カラープルーフ作成装置で出力される画像は、画像データを作成するアプリケーションソフトの種類や画像データを作成する使用者により行われる設定や好み等によって、画像の天地の方向が通常出力される画像の天地の方向と異なる場合がある、すなわち、画像の天地の方向が他と９０度（２７０度）或いは１８０度異なって出力される場合がある。
【０００８】
そのような画像に、通常出力される画像と同様に文字列を付加すると、画像を天地が上下になるようにして見ると、文字列は、文字の天地の方向が９０度（２７０度）或いは１８０度回転することになり非常に読みにくいものとなる。
【０００９】
本発明は、上記課題を鑑みてなされたものであり、その目的とするところは、ジョブ情報を文字列で付加して画像を形成し出力する際に、付加する文字列を画像の天地の方向に対応させて見やすく表示することが可能な画像出力システム及び画像出力方法を提供することにある。
【課題を解決するための手段】
【００１０】
上記課題を解決するために請求項１記載の発明は、少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力システムであって、前記画像データに基づく画像の天地の状態と前記文字列の状態とを対応付けて記憶する記憶手段と、前記画像データの天地の状態を示す情報を入力するための入力手段と、前記入力された天地の状態を示す情報に基づいて、前記記憶手段に記憶されている対応する文字列の状態を選択する選択手段と、前記選択された文字列の天地の状態に基づいて前記文字列情報を作成する文字列情報作成手段と、を備えることを特徴としている。
【００１１】
また、請求項２記載の発明は、少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力システムであって、前記画像データに基づく画像の天地の状態と前記文字列を構成する文字の天地の方向と、前記画像データに基づく画像に対する文字列を付加する位置と前記画像データに対する前記文字列情報を付加する位置とを対応付けて記憶する記憶手段と、前記画像データの天地の状態を示す情報と前記受け付けた画像データに基づく画像に対する前記文字列を付加する所望の位置を示す位置情報とを入力するための入力手段と、前記入力された天地の状態を示す情報と位置情報とに基づいて、前記記憶手段に記憶されている対応する前記文字列を構成する文字の天地の方向と前記文字列情報を付加する位置とを選択する選択手段と、前記選択された前記文字列を構成する文字の天地の方向と前記文字列情報を付加する位置とに基づいて前記文字列情報を作成する文字列情報作成手段と、を備えることを特徴としている。
【００１２】
また、請求項３記載の発明は、少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力方法であって、前記画像データに基づく画像の天地の状態と前記文字列の状態とを対応付けて記憶する段階と、前記画像データの天地の状態を示す情報を入力する段階と、前記入力された天地の状態を示す情報に基づいて、前記記憶手段に記憶されている対応する文字列の状態を選択する段階と、前記選択された文字列の天地の状態に基づいて前記文字列情報を作成する段階と、を含むことを特徴としている。
【００１３】
また、請求項４記載の発明は、少なくとも画像データを含む印刷ジョブの前記画像データに前記印刷ジョブに関する情報を示す文字列情報を付加して、前記画像データに基づく画像に前記文字列情報に基づく文字列を付加した画像を出力する画像出力方法であって、前記画像データに基づく画像の天地の状態と前記文字列を構成する文字の天地の方向と、前記画像データに基づく画像に対する文字列を付加する位置と前記画像データに対する前記文字列情報を付加する位置とを対応付けて記憶する段階と、前記画像データの天地の状態を示す情報と前記受け付けた画像データに基づく画像に対する前記文字列を付加する所望の位置を示す位置情報とを入力する段階と、前記入力された天地の状態を示す情報と位置情報とに基づいて、前記記憶手段に記憶されている対応する前記文字列を構成する文字の天地の方向と前記文字列情報を付加する位置とを選択する段階と、前記選択された前記文字列を構成する文字の天地の方向と前記文字列情報を付加する位置とに基づいて前記文字列情報を作成する段階と、を含むことを特徴としている。
【発明の効果】
【００１４】
請求項１記載の画像出力システムによれば、画像の天地に文字列の文字を対応させて表示するので、印刷ジョブに関する情報を表示する文字列の文字が見やすく表示される。
【００１５】
請求項２記載の画像出力システムによれば、画像の天地に文字列の文字の方向を対応させて表示し、さらに、文字列を画像に対し所望の位置に表示するので、印刷ジョブに関する情報を表示する文字列の文字が見やすく表示されるとともに、例えば、画像に影響の少ない位置を選んで表示することができる。
【００１６】
請求項３記載の画像出力方法によれば、画像の天地に文字列の文字を対応させて表示するので、印刷ジョブに関する情報を表示する文字列の文字が見やすく表示される。
【００１７】
請求項４記載の画像出力方法によれば、画像の天地に文字列の文字の方向を対応させて表示し、さらに、文字列を画像に対し所望の位置に表示するので、印刷ジョブに関する情報を表示する文字列の文字が見やすく表示されるとともに、例えば、画像に影響の少ない位置を選んで表示することができる。
【発明を実施するための最良の形態】
【００１８】
当該画像出力システムは、例えば、ＣＴＰ等で印刷に用いる色版を作成する前に、校正用のカラープルーフを出力する際、印刷ジョブに基づいて印刷ジョブに含まれる画像データに基づく画像に、印刷ジョブに関する情報を示す文字列を付加した画像を出力するものである。また、本発明の目的は、画像データに基づく画像の天地の方向が異なって出力されるような場合に、付加する文字列を画像の天地の方向に対応させて見やすく表示することである。
【００１９】
ここで、印刷ジョブは、画像データと付加情報からなり、付加情報には、ジョブ名、端末名などの属性情報や、印刷する記録用紙の材質、記録用紙サイズ、出力色を制御するためのカラーチャンネルの指定などの出力条件等が含まれている。また、印刷ジョブは出力条件に基づいて画像データが画像出力を形成するように実行される。
【００２０】
また、上述の印刷ジョブに関する情報とは、例えば、印刷ジョブの属性情報としてのジョブ名や端末名等、出力条件としての記録用紙の材質、記録用紙サイズ、指定されたインクの色等、画像データに関する属性情報としてのページ等、またその他に、印刷ジョブが後述の制御装置１に送信された日時、制御装置１が受け付けた日時または画像出力装置２での出力日時等の印刷ジョブに関する様々な項目の情報を含む。
【００２１】
以下、本発明に係る画像出力システムの一実施形態について、図面を参照しながら具体的に説明する。
【００２２】
（システムの全体構成）
まず、本実施の形態における画像出力システムの全体構成について図１を参照して説明する。図１は、当該画像出力システム全体の構成を示す図である。
【００２３】
図１に示すように、画像出力システムは、印刷物の画像編集を行う上流端末であるクライアント端末３ａ〜３ｃと、ＲＩＰ（Ｒａｓｔｅｒ  Ｉｍａｇｅ  Ｐｒｏｃｅｓｓｏｒ）４と、カラー画像を出力する画像出力装置２、前記画像出力装置２の出力制御に関する制御を行うコントローラとしての制御装置１とを含んで構成されている。クライアント端末３、ＲＩＰ４及び制御装置１は、ＬＡＮやインターネット等のネットワークＮを介してそれぞれ通信可能に接続されている。
【００２４】
この画像出力システムには、さらに、ＲＩＰ４から送信される画像データを用いて直接に画像を結像して版に出力し、印刷に用いる色版を作成することが可能なＣＴＰ５が設けられている。このＣＴＰ５により出力された刷版を印刷機に装着して印刷処理を行うことにより、（最終的な）印刷物が出力される。
【００２５】
クライアント端末３ａ〜３ｃは、いわゆるＰＣ（Ｐｅｒｓｏｎａｌ  Ｃｏｍｐｕｔｅｒ）で、コンピュータ本体、キーボードおよびモニタ等に加えて、イメージスキャナ等の画像入力機器などを備え（図示は省略する）、コンピュータ本体にアプリケーションソフトを備え、アプリケーションソフトを実行させてポストスクリプト（登録商標）やＰＤＦ等のページ記述言語で画像データ（以下、画像データ（ＰＳ）と表記する）を作成しネットワークＮを通じてＲＩＰ４に送信することや、画像出力装置２を用いてのカンプの作成を所望する場合には、画像データ（ＰＳ）を制御装置１に送信する。また、このようなクライアント端末は、通常、複数台が設けられている（本実施形態では３ａ〜３ｃの３台設けられているが、もちろん１台のみの構成や所望の台数からなる構成としてよい）。
【００２６】
制御装置１は、いわゆるコンピュータであって、所定の動作プログラムが組み込まれたコンピュータ本体、キーボード、マウス、モニタ、スピーカ等から構成され、画像出力装置２の出力制御に関する制御を行うコントローラとしての機能を備えている（制御構成の詳細は後述する。）。
【００２７】
画像出力装置２は、各色版の色すなわち基本色（ＣＭＹＫ）及び特色で形成された各画像を重ね合わせるように構成してカラー画像を出力するものであって、例えば、銀塩カラー感光材料に、例えば、Ｒ、Ｇ、Ｂ等の波長の異なる複数の光の組み合わせからなる光点を露光して、３つの基本色Ｙ、Ｍ、Ｃを発色させることで印刷機の各色版の色（ＣＭＹＫ特色）、各色版の色を重ねて得られる多次色及び白（印刷用紙の色）を再現するように出力するものや、電子写真方式のカラーレーザープリンタや、スキャナ・コピア・ファクシミリ機能を併せ持つ複合機等がある。
【００２８】
ＲＩＰ４は、クライアント端末３ａ〜３ｃで作成された画像データ（ＰＳ）をネットワークＮを通じて受信し、画像データ（ＰＳ）が含む画像、文字フォントなどの情報を解析しビットマップに変換を行うプロセッサとして機能するサーバ等から構成され、ＣＴＰ５で色版を作成するためのＣ（シアン）、Ｍ（マゼンタ）、Ｙ（イエロー）、Ｋ（ブラック）の各基本色および特色の色版のラスタイメージフォーマットの画像データ（以下、このラスタイメージフォーマットの画像データを単に画像データと表示する）を面順次に生成するようになっている。さらに各色版の画像データに上述した付加情報を付し印刷ジョブとして制御装置１に送信する。また、ＣＴＰ５で色版を作成する場合には、上記画像データはＣＴＰ５に送信される。
【００２９】
ネットワークＮは、コンピュータシステム、端末、データ通信設備を相互に接続するものであり、専用回線、公衆回線のような有線での接続でもよいし、通信衛星などを介する無線での接続でもよい。また、いわゆるインターネットなどもこれに含まれる。
【００３０】
（制御装置の制御構成）
次に、制御装置１及び画像出力装置２の制御構成を図２を用いて説明する。図２は、制御装置１及び画像出力装置２の機能ブロック図である。
【００３１】
制御装置１は、図２に示すように、本発明に係る処理態様等において装置各部の制御を行う制御部１１、印刷ジョブや各種データなどを記憶する記憶部１０、各種表示を行う表示部１２、画像の傾き方向等を入力するための入力部１３、及び、ＲＩＰ４及び画像出力装置２との間におけるデータの送受信を司る送受信部１４を含んで構成される。
【００３２】
制御部１１は、ＣＰＵ等の演算制御装置によって構成され、ＲＯＭやハードディスクドライブ等のプログラム格納部（図示省略）に格納されたコンピュータプログラムを実行することにより装置各部の制御を行う。制御部１１は、当該コンピュータプログラムにしたがって、表示制御部１８、文字列情報作成部１９、及び、網点化処理部２０を動作する。
【００３３】
また、画像出力方法を実行するためのプログラムを、例えばフロッピー（登録商標）ディスク、ＣＤ−ＲＯＭ、磁気記録テープ等の可搬性の記録媒体等に格納してもよい。また、かかるプログラムソフトウエアをコンピュータで実行する場合には、コンピュータに付属の読取装置で上述の記録媒体から読み取ることができる。
【００３４】
表示制御部１８は、記憶部１０の画面情報記憶部１５に記憶される画面情報に基づく画面、印刷ジョブ記憶部１７に記憶される印刷ジョブに含まれる画像データに基づく画像などを表示部１２に表示させる。
【００３５】
文字列情報作成部１９は、画像の天地の状態を示す画像の傾き方向に基づいて後述の文字列方向テーブルを参照し文字列の状態を選択する本発明の選択手段としての機能を備え、画像の傾き方向に対応するように、印刷ジョブに関する情報を示す文字列情報を作成する本発明の文字列情報作成手段としての機能を備えている（詳細は後述）。
【００３６】
網点化処理部２０は、網点化処理手段を構成するもので、画像データ及び文字列情報をスクリーニングして各基本色Ｙ、Ｍ、Ｃ、Ｋの網点に網点化する処理を実行し、網点化された文字列情報を網点化された画像データに付加して、各色の網点画像データを作成する。
【００３７】
また、制御部１１は、上述のように作成された網点画像データを送受信部１４を介して画像出力装置２に送信することにより、文字列情報を付加した画像データに基づく画像を出力するように、画像出力装置２を制御する。
【００３８】
記憶部１０は、ハードディスクドライブやイメージメモリ等の記憶装置によって構成され、画面情報記憶部１５、文字列方向テーブル１６、印刷ジョブ記憶部１７を含んでいる。なお、記憶部１０に対する画像データ等の各種データの記録処理及び読み出し処理等は、制御部１１によって実行される。
【００３９】
画面情報記憶部１５は、例えば、後述の画像の傾き方向の入力に用いる画像傾き方向入力画面１２１の画面情報等を記憶し、制御部１１からの指示に応じて、画面情報を制御部１１に送る。
【００４０】
文字列方向テーブル１６は、本発明の記憶手段を構成し、画像データに基づく画像の傾き方向（画像の天地の状態）と、文字列の状態としての文字列を構成する文字の傾き方向（文字の天地の方向）及び文字列情報を付加する画像データに対する位置とが対応付けられたものであり、テーブルの構成を示す一例を図４に示す（詳細後述）。また、これらの内容は、例えば入力手段を用いて変更できるようになっていてもよい。
【００４１】
印刷ジョブ記憶部１７は、印刷ジョブの画像データ及び印刷ジョブの付加情報を関連付けて記憶し、制御部１１からの指示に応じて、画像データ及び付加情報を制御部１１に送る。
【００４２】
送受信部１４は、送受信インターフェイス回路などから構成される。送受信部１４は、制御部１１の指示に従って各種データを画像出力装置２に送信する処理を実行するとともに、ＲＩＰ４から送信された各種データを受信する処理を実行する。
【００４３】
表示部１２は、ＬＣＤやＣＲＴなど、コンピュータに接続された通常のモニタ装置により構成される。表示部１２は、表示制御部１８の指示に従って記憶部１０の画面情報記憶部１５に記憶される画面情報に基づく画面、印刷ジョブ記憶部１７に記憶される印刷ジョブに含まれる画像データに基づく画像などを表示する。
【００４４】
入力部１３は、本発明の入力手段を構成するもので、キーボード等の入力デバイスや、マウス・トラックボール等のポインティングデバイスなど、オペレータが各種の入力操作を行うためのデバイスから構成される。オペレータは、例えば、表示部１２に表示される画像を参照しつつ、例えば図３に示す画像傾き方向入力画面１２１を用いて、画像データの天地を示す情報としての画像の傾き方向を入力する。図３に示すように、画像の傾き方向は、例えば、「０度」「左９０度」「右９０度」及び「１８０度」がある。また、これらの指定態様としては、図３に示すように、例えば、各画面の傾き方向を指定するためのそれぞれのスイッチ１２２、ＯＫボタン１２３（ソフトキー）及びキャンセルボタン１２４（ソフトキー）を操作画面内に設け、当該スイッチをマウスでクリックして画像の傾きを指定し、ＯＫボタン１２３をマウスでクリックして入力するように構成することができる。また、キャンセルボタン１２４は、作業を中止するためのものである。
【００４５】
（画像出力方法）
次に、上述のような構成の画像出力システムにおける画像出力方法について、図５を参照しつつ説明する。図５は、本画像出力システムにける画像出力方法の手順を示すフローチャートである。
【００４６】
初めに、文字列方向テーブル１６の画像の傾き方向と文字の傾き方向及び文字列を付加する位置は、予め設定されているものとする。この設定は、上述の入力部１３からの入力による設定や、或いは、プログラムに従って設定されたものでよい。
【００４７】
まず、制御部１１は、印刷ジョブに係る画像データ及び付加情報をＲＩＰ４から送受信部１４を介して受け付け、印刷ジョブ記憶部に記憶する（図５ステップＳ１０１、以下省略して「Ｓ１０１」と表す。他のステップも同様に省略して表す。）。そして、作業者による入力部１３の操作を受けて、印刷ジョブの画像データに基づく画像と画像傾き入力画面１２１をそれぞれ記憶部１０から読み出して表示部１２に表示する（Ｓ１０２）。
【００４８】
ここで、作業者が表示された画像を参考にして、入力部１３を操作して画像の傾きを入力する（Ｓ１０３、ＯＫ）と、制御部１１の文字列情報作成部１９は、これを受けて文字列情報を作成する（Ｓ１０４）。ただし、キャンセルボタン１２４がクリックされると、画像と画像傾き入力画面１２１の表示を中止して作業は終了することになる。
【００４９】
ここで、文字列情報の作成について説明する。まず、文字列情報作成部１９は、文字列方向テーブル１６を参照して、入力された画像傾き方向に対応する文字の傾き方向と画像データに対する文字列付加位置を取得する。一方、画像データに付された付加情報等から文字列情報として表示する印刷ジョブに関する情報を取得し文字列に変換する。例えば、ジョブ名称「Ｊｏｂｎａｍｅ」、日付「２００３−０２−２８」、プロセスインク「ＣＭＹＫ」、特色１「Ｐｉｎｋ」及び特色２「ＬｉｇｈｔＧｒｅｅｎ」を文字列として、「Ｊｏｂｎａｍｅ／２００３−０２−２８／ＣＭＹＫＰｉｎｋＬｉｇｈｔＧｒｅｅｎ」を、取得した文字の傾き方向及び文字列付加位置となるように生成する。図６に生成された文字列情報の一例を示す。例えば、画像傾き方向０度が入力されれば、図４に示す文字列方向テーブルから文字の傾き方向は上向き、文字列付加位置は画像データの上端側であるから、図６（ａ）に示すように生成される。また、画像傾き方向左９０度が入力されれば、図４に示す文字列方向テーブルから文字の傾き方向は左向き、文字列付加位置は画像データの左端側であるから、図６（ｂ）に示すように生成される。また、画像傾き方向右９０度が入力されれば、図４に示す文字列方向テーブルから文字の傾き方向は右向き、文字列付加位置は画像データの右端側であるから、図６（ｃ）に示すように生成される。また、画像傾き方向１８０度が入力されれば、図４に示す文字列方向テーブルから文字の傾き方向は下向き、文字列付加位置は画像データの下端側であるから、図６（ｄ）に示すように生成される。詳細に説明しないが、この文字列情報も表示する色に応じて各色について作成される。
【００５０】
そして、文字列情報が生成されると、網点化処理部２０は、各色の画像データと作成した文字列情報とを網点化処理し（Ｓ１０５）、網点化した画像データに網点化した文字列情報を付加して各色の網点画像データを作成する（Ｓ１０６）。図７に画像データへの文字列情報付加を説明するための図を示す。図７の（ａ）は画像が右に９０度傾いているので、画像傾き方向右９０度が入力される。したがって、図７（ｂ）に示すような文字の傾き方向が右向きで画像データの右端側に位置する文字列情報が生成され、図７（ｃ）に示すように文字列情報は画像データに付加される。また、図８（ａ）乃至（ｄ）にはそれぞれ画像傾き方向が０度、左９０度、右９０度及び１８０度の場合に、それぞれに対応する文字列情報を付加した例を示す。
【００５１】
そして、送受信部１４を介して、各色の網点画像データを画像出力装置２へ送り（Ｓ１０７）、画像データに基づく画像に文字列情報が付加された画像を出力させる。
【００５２】
また、文字列情報を表示する位置を画像の下側に表示することも可能である。その場合には、例えば、文字列方向テーブル１６の文字列付加位置を画像の下側に表示するように画像データに対する位置を設定しておけばよい。
【００５３】
また、例えば画像の上側に表示するか下側に表示するか画像に対する所望の位置を選択可能に図９に示す画像傾き方向入力画面１２１´のように位置選択スイッチ１２５を表示しておき、作業者が選択することにより所望の位置に表示するようにしてもよい。その場合には、図１０に構成を示す文字列情報テーブル１６´のように文字列方向テーブル１６の文字列付加位置を画像の上側と下側の各設定内容を用意しておき、入力された設定内容を選択すればよい。また、図１１（ａ）乃至（ｄ）にはそれぞれ画像傾き方向が０度、左９０度、右９０度及び１８０度の場合に、それぞれに対応する文字列情報を画像の天地の下側に付加した例を示す図である。
【００５４】
また、上述の画像の傾き等を入力するための入力手段としての機能をクライアント端末３が有し、クライアント端末３は入力された画像の傾き等の情報を印刷ジョブの付加情報として付加し、制御部１１の文字列情報作成部１９は、付加情報の画像の傾き等の情報に基づいて文字列情報を作成するようにしてもよい。
【図面の簡単な説明】
【００５５】
【図１】本発明に係る画像出力システムの一実施の形態の全体の構成を示すブロック図である。
【図２】本発明に係る制御装置の制御構成の一例を示す機能ブロック図である。
【図３】表示部に表示する画像傾き方向入力画面の一例を示す図である。
【図４】文字列方向テーブルの構成を示す図である。
【図５】本画像出力システムにおける画像出力方法の手順を示すフローチャートである。
【図６】文字列情報作成部で作成される文字列情報の構成を示す図である。
【図７】画像データへの文字列情報付加を説明するための図である。
【図８】（ａ）乃至（ｄ）にはそれぞれ画像傾き方向が０度、左９０度、右９０度及び１８０度の場合に、それぞれに対応する文字列情報を付加した例を示す図である。
【図９】表示部に表示する画像傾き方向入力画面の一例を示す図である。
【図１０】文字列方向テーブルの構成を示す図である。
【図１１】（ａ）乃至（ｄ）にはそれぞれ画像傾き方向が０度、左９０度、右９０度及び１８０度の場合に、それぞれに対応する文字列情報を付加した例を示す図である。
【符号の説明】
【００５６】
１  制御装置
１０  記憶部
１５  画面情報記憶部
１６  文字列方向テーブル
１７  印刷ジョブ記憶部
１１  制御部
１８  表示制御部
１９  文字列情報作成部
２０  網点化処理部
１２  表示部
１２１  画像傾き方向入力画面
１３  入力部
１４  送受信部
２  画像出力装置
３  クライアント端末
４  ＲＩＰ
５  ＣＴＰ
Ｎ  ネットワーク
【図１】
2006211203.tif 000003
【図２】
2006211203.tif 000004
【図３】
2006211203.tif 000005
【図４】
2006211203.tif 000006
【図５】
2006211203.tif 000007
【図６】
2006211203.tif 000008
【図７】
2006211203.tif 000009
【図８】
2006211203.tif 000010
【図９】
2006211203.tif 000011
【図１０】
2006211203.tif 000012
【図１１】
2006211203.tif 000013